(57)【特許請求の範囲】
【請求項１】
フィルムに形成されたコマ画像をトリミングして写真感光材料に焼き付ける自動トリミングプリント装置において、
前記各コマ画像のトリミングデータを取得するトリミングデータ入力部と、
光源からの放射光によって生じる前記コマ画像の投影光を露光レンズを用いて前記写真感光材料上に結像させる投影露光部と、
前記露光レンズを前記放射光の中心光軸に直行する面でシフトさせるシフターと、
前記フィルムを前記投影露光部に送るフィルム送り手段と、
前記シフターの移動を制御できるあおり露光制御手段と、
を備え、前記取得したトリミングデータに応じて、
フィルム送り方向のトリミング設定の際には、トリミングエリア中心が前記放射光の中心光軸に一致するように前記フィルム送り手段によって前記フィルムが送られて露光され、
フィルム送り方向と直角な横断方向のトリミング設定の際には、前記あおり露光制御手段によって、あおり露光の計算式から求められたシフト量だけ前記露光レンズが前記横断方向にシフトさせられてあおり露光される
ことを特徴とする自動トリミングプリント装置。
【請求項２】
フィルムに形成されたコマ画像をトリミングして写真感光材料に焼き付ける自動トリミングプリント装置において、
前記各コマ画像のトリミングデータを取得するトリミングデータ入力部と、
光源からの放射光によって生じる前記コマ画像の投影光を露光レンズを用いて前記写真感光材料上に結像させる投影露光部と、
前記感光材料を前記放射光の中心光軸に直行する面でシフトさせる感光材料シフターと、
前記フィルムを前記投影露光部に送るフィルム送り手段と、
前記感光材シフターの移動を制御できるあおり露光制御手段と、
を備え、前記取得したトリミングデータに応じて、  
フィルム送り方向のトリミング設定の際には、トリミングエリア中心が前記放射光の中心光軸に一致するように前記フィルム送り手段によって前記フィルムが送られて露光され、
フィルム送り方向と直角な横断方向のトリミング設定の際には、前記あおり露光制御手段によって、あおり露光の計算式から求められたシフト量だけ前記感光材料が前記横断方向にシフトさせられてあおり露光される
ことを特徴とする自動トリミングプリント装置。
【請求項３】
前記トリミングデータに基づいて適正な引き伸ばしプリントが可能かどうかを判定するトリミング判定部が備えられていることを特徴とする請求項１または２に記載の自動トリミングプリント装置。
【請求項４】
前記トリミング判定部は、トリミングエリアと引き伸ばしプリントサイズとから求められる前記露光レンズのズーム倍率が実施可能かどうかを判定することを特徴とする請求項３に記載の自動トリミングプリント装置。
【請求項５】
前記トリミング判定部は、トリミングエリアと前記露光レンズのズーム倍率で決定される露光範囲が前記感光材料をオーバーするかどうかを判定することを特徴とする請求項３に記載の自動トリミングプリント装置。
【請求項６】
前記フィルムに形成されたコマ画像を読み取る画像読取手段と、前記読取画像と前記トリミングデータに基づいて生成されたトリミング枠とを合成してモニターに表示する画像処理部とが備えられていることを特徴とする請求項１〜５のいずれかに記載の自動トリミングプリント装置。
【発明の詳細な説明】
【０００１】
【発明の属する技術分野】
本発明は、フィルムに形成されたコマ画像に対して、トリミングデータに応じて自動的にトリミングしてコマ画像を写真感光材料に焼き付ける自動トリミングプリント装置に関する。
【０００２】
【従来の技術】
最近出回っているＡＰＳ（新写真システム）フィルムでは  、プリント時のトリミング情報及びプリントサイズや面質など情報をフィルムに形成された磁気記録層に記録することができる。このため、現像したフィルムの投影を見ながらトリミング情報及びプリントサイズや面質など情報を磁気記録層に記録し、ＤＰＥ店にフィルムとともにトリミング情報を与えて、プリントを依頼することも可能である。また、そのような磁気記録層のないフィルムの場合ＩＣカードなどの記録媒体に記録することで、同様にプリント依頼することも可能である。ＤＰＥ店では、与えられた記録媒体からトリミングデータを読み出し、そのデータに基づいて、プリント装置のネガマスクやレンズをマニュアル操作して、１コマ毎にプリント処理を行わなければならないので、トリミングデータの受け取りの容易さに比べて、トリミング処理はプリント装置のオペレータに大きな負担をかけることになる。
【０００３】
【発明が解決しようとする課題】
マニュアルでのトリミング処理におけるオペレータの負担をなくするには、受け取ったトリミングデータに基づいて自動的にオートネガマスクの移動が制御されるような機構を採用すればよいが、オートネガマスクが２次元方向に自在に移動できる機構は複雑であり、コストの上昇や稼働率の低下といった問題を引き起こす。
本発明の目的は、簡単な構成でもってトリミングデータに応じて自動トリミングできるプリント装置を提供することである。
【０００４】
【課題を解決するための手段】
フィルムに形成されたコマ画像に対して、トリミングデータに応じて自動的にトリミングしてコマ画像を写真感光材料に焼き付けるための、本発明に係る特徴構成は、前記各コマ画像のトリミングデータを取得するトリミングデータ入力部と、光源からの放射光によって生じる前記コマ画像の投影光を露光レンズを用いて前記写真感光材料上に結像させる投影露光部と、前記露光レンズを前記放射光の中心光軸に直行する面でシフトさせるシフターと、前記フィルムを前記投影露光部に送るフィルム送り手段と、前記シフターの移動を制御できるあおり露光制御手段とを備え、前記取得したトリミングデータに応じて、フィルム送り方向のトリミング設定の際には、トリミングエリア中心が前記放射光の中心光軸に一致するように前記フィルム送り手段によって前記フィルムが送られて露光され、フィルム送り方向と直角な横断方向のトリミング設定の際には、前記あおり露光制御手段によって、あおり露光の計算式から求められたシフト量だけ前記露光レンズが前記横断方向にシフトさせられてあおり露光される点にある。
また、本発明に係る別の特徴構成は、フィルムに形成されたコマ画像をトリミングして写真感光材料に焼き付ける自動トリミングプリント装置において、前記各コマ画像のトリミングデータを取得するトリミングデータ入力部と、光源からの放射光によって生じる前記コマ画像の投影光を露光レンズを用いて前記写真感光材料上に結像させる投影露光部と、前記感光材料を前記放射光の中心光軸に直行する面でシフトさせる感光材シフターと、前記フィルムを前記投影露光部に送るフィルム送り手段と、前記感光材シフターの移動を制御できるあおり露光制御手段とを備え、前記取得したトリミングデータに応じて、フィルム送り方向のトリミング設定の際には、トリミングエリア中心が前記放射光の中心光軸に一致するように前記フィルム送り手段によって前記フィルムが送られて露光され、フィルム送り方向と直角な横断方向のトリミング設定の際には、前記あおり露光制御手段によって、あおり露光の計算式から求められたシフト量だけ前記感光材料が前記横断方向にシフトさせられてあおり露光される点にある。
ここでいうあおり露光は写真技術において通常に用いられる用語どおりの意味で用いられており、説明的に言えば、トリミングエリアの中心と感光材料における露光エリアの中心とを結ぶ擬似的な光軸が、感光材料の感光面とが直角に交わらない状態での露光である。通常の露光では、当然、前記投影露光部の光軸と前記感光材料の感光面とが直角に交わる。
【０００５】
この構成では、フィルムの磁気記録層やＩＣカードなどの記録媒体から入力されたトリミングデータにより決定されたコマ画像のトリミングエリアを投影露光部により感光材料上に投影結像する際、トリミングエリアの中心と投影露光部の光軸とが一致しない場合ではあおり露光の原理を用いることができる。従って、トリミング露光の際、オートネガマスク、つまりフィルム自体を２次方向に自在に移動させる必要はない。このため、プリント装置の構造を複雑にすることなしに、自動トリミングプリント装置を作ることができる。
【０００６】
本発明の好ましい実施形態では、フィルム送り方向のトリミング設定では、トリミングエリア中心が前記光軸に一致するようにフィルム送り手段によってフィルムが送られるように構成されている。プリント装置には、いずれにせよ、フィルムを投影露光部に送り込むためのフィルム送り手段が装備されており、トリミング対象となっているコマ画像をフィルム送り方向に移動させることはフィルム送り手段で簡単にできるので、フィルム送り方向のトリミング設定では、フィルム送り手段によってフィルムを所定量移動させることでトリミングエリア中心を前記光軸に一致させる。これにより、フィルム送り方向にずれたトリミングの際は、トリミングデータに基づいてフィルム送り手段を用いてトリミング対象となるコマ画像を移動させ、露光レンズのズーム倍率を適切に設定することで、トリミングエリアを感光材料上に結像させることができる。
【０００７】
フィルム送り方向と直角な横断方向のトリミング設定に関して、本発明による好ましい実施形態の１つとして、前述したあおり露光をするため、あおり露光制御手段によって露光レンズを横断方向にシフトさせるものがある。
この構成では、複雑な機構を必要とするフィルム送り方向と直角な横断方向にオートネガマスク、つまりフィルムをシフトさせる代わりに、露光レンズを横断方向にシフトさせている。前述した横断方向に関しては、露光レンズのシフトの方がフィルムのシフトより簡単な機構で済むので、自動トリミングのためのコスト上昇を抑制することができる。
【０００８】
フィルム送り方向と直角な横断方向のトリミング設定に関する、本発明による別な実施形態として、あおり露光制御手段によって感光材料を横断方向にシフトさせるものもある。この場合でも、感光材料を横断方向にシフトするの方がフィルムを、つまりネガマスク全体を横断方向にシフトするより簡単な機構で済むので、自動トリミングのためのコスト上昇を抑制することができる。
本発明によるさらに好ましい実施形態において、トリミングデータに基づいて適正な引き伸ばしプリントが可能かどうかを判定するトリミング判定部が備えられている。入力されたトリミングデータによってはそのトリミングデータから要求されている引き伸ばしプリント処理がプリント装置の仕様上不可能な場合があるが、この構成では、そのような状況を検知して、オペレータに報知するなどの処置を行うことができる。
【０００９】
例えば、このトリミング判定部が、トリミングエリアと引き伸ばしプリントサイズとから求められる前記露光レンズのズーム倍率が実施可能かどうかを判定する機能をもっている場合、仕様を越えたズーム倍率を要求するトリミングプリントをトリミングデータの入力の後すぐにオペレータに指示することで、その焼付処理を中止し、無駄な作業時間を回避することが可能となる。
また、このトリミング判定部が、トリミングエリアと露光レンズのズーム倍率で決定される露光範囲が装着されている感光材料をオーバーするかどうかを判定する機能をもっている場合、焼付処理に先だって予め要求されるサイズの感光材料を準備することができるし、２つ以上の感光材料が装着されて選択的に利用できるプリント装置なら、トリミング判定部による判定結果によって感光材料を自動選択するように制御することも可能となる。
【００１０】
本発明による好ましい実施形態として、フィルムに形成されたコマ画像を読み取る画像読取手段と、この読取画像にトリミングデータに基づいて生成されたトリミング枠を合成してモニターに表示する画像処理部とがさらに備えられるならば、トリミングが要求されているコマ画像をトリミングデータに基づいたトリミング枠付きでモニター画面で確認することができ、トリミングのチェックと露光補正のチェックを同時にできるので、作業効率が向上する。
本発明のその他の特徴及び利点は以下の図面を用いた発明の実施の形態の説明とともに明らかになるだろう。
【００１１】
【発明の実施の形態】
以下、本発明の自動トリミングプリント装置の実施の形態を、プリンタープロセッサーに組み込まれて使用する場合を例示して説明する。
図１に示すように、プリンタープロセッサー１には、フィルム２に形成されたコマ画像を、必要に応じてトリミングして印画紙３に投影露光する投影露光部１０、投影露光部１０で露光された感光材料としての印画紙３を現像する現像処理部３０、及び、プリンタープロセッサー１の各部の作動の制御等を行うコントローラ４が設けられ、コントローラ４には各種の指示入力及びモード設定を行うための操作卓４ａ、フィルム２のコマ画像から印画紙３に形成されるプリント画像をシミュレートしたシミュレート画像や露光補正データ、さらにトリミングデータなどを表示させるモニター４ｂが接続されている。
【００１２】
印画紙３をロール状に収納している印画紙マガジン３１から引き出された印画紙３は、露光の前にペーパーカッター３２によって、所定のプリントサイズにカットされ、印画紙搬送手段としてのローラ３３とこのローラ３３を駆動するモータ３４の働きで投影露光部１０に送られ、そこで露光された後、現像処理部３０にて現像されて、仕上がりプリントとして排出される。なお、このプリンタープロセサー１に複数装着される印画紙マガジン３１の装着部にはマガジンコード検出センサー３１ａが設けられており、この検出信号をコントローラ４に送ることにより、コントローラ４は、使用中の印画紙３のサイズを認識することができる。３５は、印画紙３に対する露光エリアを決定するペーパマスクである。
【００１３】
以下、各構成部分について説明する。
投影露光部１０には、光源１１、フィルム２に照射する光の色バランスを調整する調光フィルタ１２、調光フィルタ１２を通過した光を均一に混色するミラートンネル１３、フィルム２のコマ画像を印画紙３上に結像させるズームレンズ式の露光レンズ１４、シャッタ１５、及びフィルム搬送路にオートネガマスク１６が露光光路をなす同一光軸上に設けられている。露光レンズ１４のズーム倍率の変更は、ここでは図示されていない公知のズーミング機構を用いてモータ１４ａによって行われる。
【００１４】
投影露光部１０と並んで、フィルム２のコマ画像を読み取る画像読取手段としてのスキャナー５が設けられている。このスキャナー５には、反射ミラー５１、レンズ５２、周方向にＲ（赤），Ｇ（緑），Ｂ（青）のカラーフィルタが配列されている回転カラーフィルタ５３、回転カラーフィルタ５３を回転駆動するモータ５４及びＣＣＤイメージセンサ５５が備えられている。投影露光部１０やスキャナー５の各動作部材はコントローラ４によって制御される。
【００１５】
反射ミラー５１と露光レンズ１４は、一体的に、シフター６によって投影露光部１０の光軸に対して直角で、フィルム２の送り方向の横断方向に移動可能となっている。図１では、図面の見やすさを第１に考え、その移動方向は正確に示されていない。シフター６は、反射ミラー５１と露光レンズ１４を取り付けている移動台６１と、この移動台６１を移動させる駆動機構６２を備えている。
【００１６】
露光レンズ１４と反射ミラー５１とを取り付けた移動台６１が図１中矢印Ａの方向に所定量だけシフトすることにより、露光レンズ１４が露光光路中に位置する状態と反射ミラー５１が露光光路中に位置する状態とに切り換えることができる。焼付レンズ１４が露光光路中に位置する状態では、フィルム２のコマ画像は露光レンズ１４によって印画紙３上に結像され、反射ミラー５１が露光光路中に位置する状態では、フィルム２のコマ画像は、反射ミラー５１によって反射した後、レンズ５２によって回転カラーフィルタ５３を介してＣＣＤイメージセンサ５５の受光面上に結像される。ＣＣＤイメージセンサ５５は、フィルム２のコマ画像を、回転カラーフィルタ５３の回転によってＲ，Ｇ，Ｂ夫々に色分解した状態で検出し、取得されたデジタル画像信号はコントローラ４に送られる。
【００１７】
フィルム搬送路の端部には、複数のフィルムカートリッジ２１を格納して、順次送りだしすることができるカートリッジ収納装置２０が設けられている。フィルム２は、所定位置に送り出されたフィルムカートリッジ２１から引き出されて、投影露光部１０に送られる。このために、オートネガマスク１６内、及びその周辺部にはフィルム２を搬送するフィルム送り手段としての複数のローラ２２が設けられており、これらのローラ２２はモータ２３によって連動駆動され、フィルム２を任意の位置に送ることができる。
【００１８】
フィルム搬送路には、さらにフィルム２に形成された磁気記録部２ａ（図２）から、トリミング情報や撮影情報などを読み取る磁気ヘッド７も設けられており、読み取られたデータはコントローラ４に送られる。
【００１９】
次に、トリミング作業時の、投影露光部１０の動作を図２、３、４を用いて説明する。
この実施の形態では、フィルム２として各種データを記録できる磁気記録部２ａを備えたＡＰＳ（新写真システム）を取り扱っており、トリミングデータを磁気記録部２ａに記録することが可能である。コマ画像におけるプリントエリア、つまりトリミングエリア１６ｂは、コマ画像の左端からトリミングエリア中心までの距離：Ｘ、コマ画像の上端からトリミングエリア中心までの距離：Ｙ、トリミングエリア１６ａの幅：Ｗによって決定され、これらのデータに、ペーパーサイズ（プリントサイズ）、マットやグロッシーなどの画質を加えてトリミングデータを構成している。
【００２０】
与えられたトリミングデータからトリミングエリア１６ｂが決定すると、フィルム送り方向のトリミングエリア中心と投影露光部１０の光軸が一致するようにフィルム２がシフトされる。フィルム送り方向と直角な横断方向、つまりフィルム幅方向のトリミングエリア中心と投影露光部１０の光軸がずれている場合でも、複雑な機構を必要とするフィルム２の幅方向のシフトを行うようなことはせずに、図４に示すように、露光レンズ１４だけを投影露光部１０の光軸からずらして、いわゆるあおり露光を行うような位置関係を作り出す。その際、トリミングエリア１６ｂの中心と印画紙３における露光エリアの中心とを結ぶ擬似的な光軸が、感光材料の感光面とが直角に交わらない状態となる。これにより、適切なズーム倍率を選択することで、トリミングエリア１６ｂのフィルム画像は印画紙３に焼き付けられる。露光レンズ１４のシフト量は、よく知られたあおり露光の計算式から求められる。
【００２１】
図５には、コントローラ４の特に本発明に関連する機能を説明するための機能ブロック図が示めされている。コントローラ４には、スキャナー５の動作を制御するスキャナー制御部４１、投影露光部１０及びシフター６の動作を制御する露光制御部４２、フィルム送りのためのモータ２２を制御するフィルム搬送制御部４３、印画紙送りのためのモータ３３を制御する印画紙搬送制御部４４、フィルム２の磁気記録部２ａに記録されたデータを読み取る磁気ヘッド７を介してトリミングデータを取得するトリミングデータ入力部４５、マガジンコード検出センサー３１ａなどの各種センサーからの信号を取得するセンサー入力部４６、トリミングデータから要求されている引き伸ばしプリント処理が現状の装置の仕様で可能かどうかを判定するトリミング判定部４７、スキャナー制御部４１や露光制御部４２と連係してモニター４ｂを通じての露光補正やトリミングチェックを可能にする画像処理ユニット７０が備えられている。中央制御部５０は、コントローラ５を統括的に制御するものである。つまり、コントローラ５は、基本的には、マイコンを中核部材として構成され、適当なハードウエアとプログラムによって、必要な機能を実現している。
露光制御部４２には、前述したあおり露光を行うためのあおり露光手段４２ａが備えられているので、露光制御部４２は、調光フィルタ１２やシャッタ１５や露光レンズ１４のズーム倍率調整用モータ１４ａに加え、シフター６の駆動機構６２の動作も制御する。
【００２２】
画像処理ユニット７０は、スキャナー制御部４１から送り込まれた画像データを記憶する画像情報記憶部７１と、画像情報記憶部７１の画像データを利用して露光条件を求める露光条件演算部７２と、画像情報記憶部７１から読み出した画像データを露光条件演算部７２が求めた露光条件に基づいてモニター４ｂに表示するためのシミュレート画像データに変換する画像情報変換部７３と、入力されたトリミングデータに基づいてトリミング枠をモニター４ｂに表示させるトリミング枠生成部７４とを備えている。
【００２３】
画像情報変換部７３に登録されている、画像情報のネガポジ変換等の変換処理に用いる種々のパラメータは、露光条件演算部７２で求めた露光条件にてフィルム２のコマ画像を印画紙３に投影露光して印画紙３上に形成する画像と同等のシミュレート画像をモニター４ｂに所定のコマ表示パターンで表示できるように設定されている。露光条件演算部７２では、操作卓４ａよりＹ（イエロー），Ｍ（マゼンタ），Ｃ（シアン）の各色の露光量の増減又は写真の濃度変化に相当する露光量の平均的な増減を命令されることで、露光条件の補正が行われる。画像情報記憶部７１には、スキャナー５にて１オーダ分のフィルム２のコマ画像から読み取った画像データが記憶できるので、画像情報変換部７３が画像情報記憶部７１から複数の画像コマの画像データを読み出して変換処理し、複数の画像コマのシミュレート画像を特定のコマ表示パターンで同時にモニター４ｂに表示することができる。図６に示すように、トリミングデータもスキャナー５による画像読み取り時に磁気ヘッド７を介して読み取られているので、トリミング指定のあるコマ画像に対しては、トリミング枠もシミュレート画像に重ね合わせて表示される。図６から明らかなように、モニター画面には、シミュレート画像やトリミング枠以外に、コマ番号、露光補正値、プリント枚数、プリントサイズ、マットやグロッシーなど画質なども表示される。
【００２４】
以下、前述したプリンタープロセッサー１におけるトリミング露光処理の流れを図７のフローチャートを用いて説明する。
まず、フィルム搬送路にセットされたカートリッジ２１からフィルム２を引き出し（＃１０）、磁気ヘッド７によってフィルム２の磁気記録層２ａからトリミングデータなどのプリント用データを読み取る（＃１２）。さらに、スキャナー５によってコマ画像の読み取りをおこない画像データを画像情報記憶部７１に格納する（＃１４）。この読み取り作業は焼付対象となっているコマ画像全てが終了するまで続けられ（＃１６）、再びフィルム２はカートリッジ２１に巻き戻される（＃１８）。ここまでが、いわゆる露光前処理である。
【００２５】
続いてトリミングチェックが行われる。つまり、トリミングデータに基づいて、必要に応じてあおり露光考慮して、ズーム倍率、フィルム移動量、レンズシフト量の演算する（＃２０）。この演算結果を参考にし、トリミング判定部４７が、トリミングエリアと引き伸ばしプリントサイズとから求められる露光レンズ１６のズーム倍率が実施可能かどうか、トリミングエリアと露光レンズ１６のズーム倍率で決定される露光範囲がセットされている印画紙のサイズをオーバーするかどうかなどのトリミングチェックを行い（＃２２）、実施不能の場合警告を報知し（＃２４）、露光処理のキャンセル、印画紙３の交換、引き伸ばし率の変更などのエラー処理を行う（＃２６）。
【００２６】
次に、再びフィルム２が引き出され、焼付対象となるコマ画像がオートネガマスク１６に入るまで送られる（＃２８）。同時に、ペーパーカッター３２でカットされた印画紙３も露光位置にセットされる（＃３０）。焼付対象となるコマ画像に対する露光条件が演算されるとともにそのシミュレート画像も生成される（＃３２）。
トリミングチェックが終わると、シュミレート画像とトリミング枠とともに露光補正値や各種データ値がモニター４ｂに表示される（＃３４）。モニター画面を見ながら、オペレータは露光補正が必要かどうかを判断し（＃３６）、補正が必要な場合操作卓４ａを使って補正値を入力する（＃３８）。続いて、トリミング露光準備として、オートネガマスク１６の動作、フィルム２の移動、露光レンズ１４のシフト、ズーム倍率の設定などが行われ（＃４０）、準備完了後、投影露光部１０による露光が行われる（＃４２）。＃２８から＃４２までの露光作業が全ての焼付対象コマに対して終了するまで、繰り返し行われる（＃４４）。上記説明では、１コマづつ露光処理される形をとっているが、もちろん、例えば４コマづつというように複数コマ単位で露光処理することが可能であり、その場合、＃２８から＃４２までのステップが複数コマ単位で行われることになる。
【００２７】
図８には、本発明による自動トリミングプリント装置の別な形態を組み込んだプリンタープロセッサー１のブロック図を示している。この自動トリミングプリント装置は、図１による形態に比べて、あおり露光の際、露光レンズ１４をフィルム送り方向と直角な横断方向にシフトさせる代わりに、印画紙３をフィルム送り方向と直角な横断方向にシフトさせることで異なっている。
【００２８】
この方式でのあおり露光でも、先の形態と同様に、図３に示すように、フィルム送り方向のトリミングエリア中心と投影露光部１０の光軸が一致するようにフィルム２がシフトされる。さらに、フィルム送り方向と直角な横断方向、つまりフィルム幅方向のトリミングエリア中心と投影露光部１０の光軸がずれている場合では、図９に示すように、印画紙３を投影露光部１０の光軸からずらして、いわゆるあおり露光を行うような位置関係を作り出す。これにより、適切なズーム倍率を選択することで、トリミングエリア１６ｂのフィルム画像は印画紙３に焼き付けられる。印画紙３の前述した横断方向のシフトは、印画紙３の搬送ローラ３３を備えた横断方向に移動可能な印画紙シフター１０３をモータ１０３ａで駆動することにより行われる。モータ１０３ａの制御はあおり露光手段４２ａによって行われる。印画紙３のシフト量は、よく知られたあおり露光の計算式から求められる。
【００２９】
上述した実施の形態では、フィルム２として磁気記録層を有する新写真システムのフィルムが用いられていたが、通常の３５ｍｍフィルムのような磁気記録層のないフィルムであっても、トリミングデータを、操作卓４ａからマニュアルで、あるいはＩＣカードやそのたの記憶媒体を利用して、コントローラ４のトリミングデータ入力部４５に入力することで、同様な自動トリミングプリントを行うことができる。
【図面の簡単な説明】
【図１】本発明による自動トリミングプリント装置を組み込んだプリンタープロセッサーのブロック図
【図２】フィルム面におけるトリミングデータの定義を示す説明図
【図３】トリミング露光時のフィルム送り方向でのトリミングエリアと露光レンズと印画紙の位置関係を示す模式図
【図４】トリミング露光時のフィルム送り方向に直角な横断方向でのトリミングエリアと露光レンズと印画紙の位置関係を示す模式図
【図５】コントローラの機能ブロック図
【図６】モニター画面の例を示す概略図
【図７】トリミング露光時の手順を示すフローチャート
【図８】図１とは別な形態の自動トリミングプリント装置を組み込んだプリンタープロセッサーのブロック図
【図９】図８による自動トリミングプリント装置におけるトリミング露光時のフィルム送り方向に直角な横断方向でのトリミングエリアと露光レンズと印画紙の位置関係を示す模式図
【符号の説明】
２    フィルム
３    印画紙（感光材料）
４    コントローラ
６    シフター
７    磁気ヘッド
１０    投影露光部
１４    露光レンズ
１６    オートネガマスク
３３    フィルム送りローラ
４２    露光制御部
４２ａ  あおり露光制御手段
４５    トリミングデータ入力部
４７    トリミング判定部
【図１】
0003596653.tif 000002
【図２】
0003596653.tif 000003
【図３】
0003596653.tif 000004
【図４】
0003596653.tif 000005
【図５】
0003596653.tif 000006
【図６】
0003596653.tif 000007
【図７】
0003596653.tif 000008
【図８】
0003596653.tif 000009
【図９】
0003596653.tif 000010